(57)【特許請求の範囲】
【請求項１】
クランクケース(32)に回転自在に支承される回転軸(41Ｃ)と、回転軸(41Ｃ)に同軸芯に配設され、軸方向移動に応じてクラッチオフ状態とクラッチオン状態とを切替えるクラッチピストン(80)とを備え、同クラッチピストン(80)の軸方向両面に制御油圧室(86Ａ,86Ｂ)とキャンセラ室(87Ａ,87Ｂ)とが形成された油圧クラッチ(44)のクラッチ構造において、
前記回転軸(41Ｃ)に、回転駆動力を受けて同回転軸(41Ｃ)を回転駆動するプライマリ従動ギア(43)が支持され、前記油圧クラッチ(44)は、前記プライマリ従動ギア(43)を同回転軸方向に挟んで前記回転軸(41Ｃ)上に設けられた第１クラッチ(44Ａ)と第２クラッチ(44Ｂ)とからなり、
前記第１クラッチ(44Ａ)と前記第２クラッチ(44Ｂ)は、それぞれ、前記回転軸(41Ｃ)に回転方向と軸方向を拘束されて嵌装されたクラッチハブ(72Ａ,72Ｂ)に、クラッチアウタ(71Ａ,71Ｂ)が一体化された構造を有し、
前記第１クラッチ(44Ａ)および前記第２クラッチ(44Ｂ)の前記クラッチアウタ(71Ａ,71Ｂ)は、それぞれ軸方向の端板部(71a,71a)を有し、両端板部(71a,71a)は、前記プライマリ従動ギア(43)に対向するように配置され、
前記第１クラッチ(44Ａ)と前記第２クラッチ(44Ｂ)のそれぞれにおいて、前記クラッチピストン(80)は、前記クラッチハブ(72Ａ,72Ｂ)とクラッチアウタ(71Ａ,71Ｂ)の間を軸方向に摺動可能とされ、
前記キャンセラ室(87Ａ,87Ｂ)は、前記クラッチピストン(80)と、前記クラッチハブ(72Ａ,72Ｂ)、クラッチアウタ(71Ａ,71Ｂ)間に設けられた壁部材(82)との間に形成され、
前記第１クラッチ(44Ａ)と前記第２クラッチ(44Ｂ)のそれぞれにおいて、前記クラッチハブ(72Ａ,72Ｂ)に、前記キャンセラ室(87Ａ,87Ｂ)への供給油路(93,96)とは別に、前記キャンセラ室(87Ａ,87Ｂ)の内外を連通する排出油路(100,200,300)が設けられたことを特徴とするクラッチ構造。
【請求項２】
クランクケース(32)に回転自在に支承される回転軸(41Ｃ)と、同回転軸(41Ｃ)に同軸芯に配設され、軸方向移動に応じてクラッチオフ状態とクラッチオン状態とを切替えるクラッチピストン(80)とを備え、同クラッチピストン(80)の軸方向両面に制御油圧室(86Ａ,86Ｂ)とキャンセラ室(87Ａ,87Ｂ)とが形成された油圧クラッチ(44)のクラッチ構造において、
前記回転軸(41Ｃ)に回転方向と軸方向を拘束されて嵌装されたクラッチハブ(72Ａ,72Ｂ)に、クラッチアウタ(71Ａ,71Ｂ)が一体化され、
前記クラッチピストン(80)は、前記クラッチハブ(72Ａ,72Ｂ)とクラッチアウタ(71Ａ,71Ｂ)の間を軸方向に摺動可能とされ、
前記キャンセラ室(87Ａ,87Ｂ)は、前記クラッチピストン(80)と、前記クラッチハブ(72Ａ,72Ｂ)、クラッチアウタ(71Ａ,71Ｂ)間に設けられた壁部材(82)との間に形成され、
前記クラッチハブ(72Ａ,72Ｂ)は、前記回転軸(41Ｃ)と互いのスプライン歯(41Ｃａ,72ａ)を係合させて嵌装されるとともに、前記クラッチハブ(72Ａ,72Ｂ)には、前記回転軸(41Ｃ)または前記クラッチハブ(72Ａ,72Ｂ)の前記スプライン歯(41Ｃａ,72ａ)の少なくとも一方の一部を切欠いて、前記キャンセラ室(87Ａ,87Ｂ)の内外を連通する排出油路(300)が設けられ、
前記排出油路(300)は、前記クラッチハブ(72Ａ,72Ｂ)において、前記キャンセラ室(87Ａ,87Ｂ)にオイルを供給する供給油路(93,96)と並列に、軸方向に位置をずらせて別に形成された上流側排出油路(303)を介して前記キャンセラ室(87Ａ,87Ｂ)に連通されたことを特徴とするクラッチ構造。
【請求項３】
クランクケース(32)に回転自在に支承される回転軸(41Ｃ)と、同回転軸(41Ｃ)に同軸芯に配設され、軸方向移動に応じてクラッチオフ状態とクラッチオン状態とを切替えるクラッチピストン(80)とを備え、同クラッチピストン(80)の軸方向両面に制御油圧室(86Ａ,86Ｂ)とキャンセラ室(87Ａ,87Ｂ)とが形成された油圧クラッチ(44)のクラッチ構造において、
前記回転軸(41Ｃ)に、回転駆動力を受けて同回転軸(41Ｃ)を回転駆動するプライマリ従動ギア(43)が支持され、前記油圧クラッチ(44)は、前記プライマリ従動ギア(43)を同回転軸方向に挟んで前記回転軸(41Ｃ)上に設けられた第１クラッチ(44Ａ)と第２クラッチ(44Ｂ)とからなり、
前記第１クラッチ(44Ａ)と前記第２クラッチ(44Ｂ)は、それぞれ、前記回転軸(41Ｃ)に回転方向と軸方向を拘束されて嵌装されたクラッチハブ(72Ａ,72Ｂ)に、クラッチアウタ(71Ａ,71Ｂ)が一体化された構造を有し、
前記第１クラッチ(44Ａ)および前記第２クラッチ(44Ｂ)の前記クラッチアウタ(71Ａ,71Ｂ)は、それぞれ軸方向の端板部(71a,71a)を有し、両端板部(71a,71a)は、前記プライマリ従動ギア(43)に対向するように配置され、
前記第１クラッチ(44Ａ)と前記第２クラッチ(44Ｂ)のそれぞれにおいて、前記クラッチピストン(80)は、前記クラッチハブ(72Ａ,72Ｂ)とクラッチアウタ(71Ａ,71Ｂ)の間を軸方向に摺動可能とされ、
前記キャンセラ室(87Ａ,87Ｂ)は、前記クラッチピストン(80)と、前記クラッチハブ(72Ａ,72Ｂ)、クラッチアウタ(71Ａ,71Ｂ)間に設けられた壁部材(82)との間に形成され、
前記第１クラッチ(44Ａ)と前記第２クラッチ(44Ｂ)のそれぞれにおいて、前記クラッチハブ(72Ａ,72Ｂ)は、前記回転軸(41Ｃ)と互いのスプライン歯(41Ｃａ,72ａ)を係合させて嵌装されるとともに、前記クラッチハブ(72Ａ,72Ｂ)には、前記回転軸(41Ｃ)または前記クラッチハブ(72Ａ,72Ｂ)の前記スプライン歯(41Ｃａ,72ａ)の少なくとも一方の一部を切欠いて、前記キャンセラ室(87Ａ,87Ｂ)の内外を連通する排出油路(200,300)が設けられたことを特徴とするクラッチ構造。
【請求項４】
前記排出油路(100,200,300)は、前記回転軸(41Ｃ)または前記クラッチハブ(72Ａ,72Ｂ)の円周方向において、間隔を空けて複数形成されたことを特徴とする請求項１、請求項２または請求項３記載のクラッチ構造。
【請求項５】
前記排出油路(100)の一部は、前記壁部材(82)と前記クラッチハブ(72Ａ,72Ｂ)との間に形成されたことを特徴とする請求項１記載のクラッチ構造。
【請求項６】
前記排出油路(200)は、前記クラッチハブ(72Ａ,72Ｂ)において、前記キャンセラ室(87Ａ,87Ｂ)にオイルを供給する供給油路(93,96)を介して前記キャンセラ室(87Ａ,87Ｂ)に連通されたことを特徴とする請求項３記載のクラッチ構造。
【請求項７】
クランクケース(32)に回転自在に支承される回転軸(41Ｃ)と、回転軸(41Ｃ)に同軸芯に配設され、軸方向移動に応じてクラッチオフ状態とクラッチオン状態とを切替えるクラッチピストン(80)とを備え、同クラッチピストン(80)の軸方向両面に制御油圧室(86Ａ,86Ｂ)とキャンセラ室(87Ａ,87Ｂ)とが形成された油圧クラッチ(44)のクラッチ構造において、
前記回転軸(41Ｃ)に、回転駆動力を受けて同回転軸(41Ｃ)を回転駆動するプライマリ従動ギア(43)が支持され、前記油圧クラッチ(44)は、前記プライマリ従動ギア(43)を同回転軸方向に挟んで前記回転軸(41Ｃ)上に設けられた第１クラッチ(44Ａ)と第２クラッチ(44Ｂ)とからなり、
前記第１クラッチ(44Ａ)と前記第２クラッチ(44Ｂ)は、それぞれ、前記回転軸(41Ｃ)に回転方向と軸方向を拘束されて嵌装されたクラッチハブ(72Ａ,72Ｂ)に、クラッチアウタ(71Ａ,71Ｂ)が一体化された構造を有し、
前記第１クラッチ(44Ａ)および前記第２クラッチ(44Ｂ)の前記クラッチアウタ(71Ａ,71Ｂ)は、それぞれ軸方向の端板部(71a,71a)を有し、両端板部(71a,71a)は、前記プライマリ従動ギア(43)に対向するように配置され、
前記第１クラッチ(44Ａ)と前記第２クラッチ(44Ｂ)のそれぞれにおいて、前記クラッチピストン(80)は、前記クラッチハブ(72Ａ,72Ｂ)とクラッチアウタ(71Ａ,71Ｂ)の間を軸方向に摺動可能とされ、
前記キャンセラ室(87Ａ,87Ｂ)は、前記クラッチピストン(80)と、前記クラッチハブ(72Ａ,72Ｂ)、クラッチアウタ(71Ａ,71Ｂ)間に設けられた壁部材(82)との間に形成され、
前記キャンセラ室(87Ａ,87Ｂ)には、同キャンセラ室(87Ａ,87Ｂ)への供給油路(93,96)とは別に、前記キャンセラ室(87Ａ,87Ｂ)の内外を連通する排出油路(100)が設けられ、同排出油路(100)は、前記キャンセラ室(87Ａ,87Ｂ)の外側にある潤滑油室(88Ａ,88Ｂ)に接続されることを特徴とするクラッチ構造。
【発明の詳細な説明】
【技術分野】
【０００１】
本発明は、油圧でクラッチを断接するクラッチ構造に関し、特に、キャンセラ室からのオイルの排出性を向上させたクラッチ構造に関する。
【背景技術】
【０００２】
従来、油圧でクラッチを断接するクラッチ機構において、キャンセラ室（遠心力圧力補償室）を設けた構造が知られている。その場合、キャンセラ室の遠心力調整のため、例えば、下記特許文献１：特開2001-140934号公報には、キャンセラ室の壁に開口部を一箇所設けたものも示されるが、その開口部は油圧クラッチの摩擦板群への潤滑油供給孔を兼ねているので、次第にキャンセラ室外側とクラッチインナの間に形成される潤滑油室に、オイルが溜まることとなり、クラッチの回転による遠心力のため、開口部より外側（外周側）からオイルが溜まる。
そして、潤滑油室に開口部を超えて、軸側（内径側）にオイルが溜まると、キャンセラ室からのオイルの排出性が悪化し、結果として、クラッチピストンの作動応答性が悪くなり、クラッチ断接を迅速にできない、という課題があった。
【先行技術文献】
【特許文献】
【０００３】
【特許文献１】特開２００１−１４０９３４号公報（図１）
【発明の概要】
【発明が解決しようとする課題】
【０００４】
本発明は、油圧クラッチにおいて、キャンセラ室から排出されたオイルが、キャンセラ室外側とクラッチディスクの間に形成される潤滑油室に溜まることによる、キャンセラ室からのオイル排出性の悪化を抑制し、クラッチピストンの迅速な作動を確実にできるクラッチ構造を提供することを課題とする。
【課題を解決するための手段】
【０００５】
上記の課題を解決するために、請求項１の発明は、クランクケースに回転自在に支承される回転軸と、回転軸に同軸芯に配設され、軸方向移動に応じてクラッチオフ状態とクラッチオン状態とを切替えるクラッチピストンとを備え、同クラッチピストンの軸方向両面に制御油圧室とキャンセラ室とが形成された油圧クラッチのクラッチ構造において、前記回転軸に、回転駆動力を受けて同回転軸を回転駆動するプライマリ従動ギアが支持され、前記油圧クラッチは、前記プライマリ従動ギアを同回転軸方向に挟んで前記回転軸上に設けられた第１クラッチと第２クラッチとからなり、前記第１クラッチと前記第２クラッチは、それぞれ、前記回転軸に回転方向と軸方向を拘束されて嵌装されたクラッチハブに、クラッチアウタが一体化された構造を有し、前記第１クラッチおよび前記第２クラッチの前記クラッチアウタは、それぞれ軸方向の端板部を有し、両端板部は、前記プライマリ従動ギアに対向するように配置され、前記第１クラッチと前記第２クラッチのそれぞれにおいて、前記クラッチピストンは、前記クラッチハブとクラッチアウタの間を軸方向に摺動可能とされ、前記キャンセラ室は、前記クラッチピストンと、前記クラッチハブ、クラッチアウタ間に設けられた壁部材との間に形成され、前記第１クラッチと前記第２クラッチのそれぞれにおいて、前記クラッチハブに、前記キャンセラ室への供給油路とは別に、前記キャンセラ室の内外を連通する排出油路が設けられたことを特徴とするクラッチ構造である。
【０００６】
請求項２の発明は、クランクケースに回転自在に支承される回転軸と、同回転軸に同軸芯に配設され、軸方向移動に応じてクラッチオフ状態とクラッチオン状態とを切替えるクラッチピストンとを備え、同クラッチピストンの軸方向両面に制御油圧室とキャンセラ室とが形成された油圧クラッチのクラッチ構造において、前記回転軸に回転方向と軸方向を拘束されて嵌装されたクラッチハブに、クラッチアウタが一体化され、前記クラッチピストンは、前記クラッチハブとクラッチアウタの間を軸方向に摺動可能とされ、前記キャンセラ室は、前記クラッチピストンと、前記クラッチハブ、クラッチアウタ間に設けられた壁部材との間に形成され、前記クラッチハブは、前記回転軸と互いのスプライン歯を係合させて嵌装されるとともに、前記クラッチハブには、前記回転軸または前記クラッチハブの前記スプライン歯の少なくとも一方の一部を切欠いて、前記キャンセラ室の内外を連通する排出油路が設けられ、前記排出油路は、前記クラッチハブにおいて、前記キャンセラ室にオイルを供給する供給油路と並列に、軸方向に位置をずらせて別に形成された上流側排出油路を介して前記キャンセラ室に連通されたことを特徴とするクラッチ構造である。
【０００７】
請求項３の発明は、クランクケースに回転自在に支承される回転軸と、同回転軸に同軸芯に配設され、軸方向移動に応じてクラッチオフ状態とクラッチオン状態とを切替えるクラッチピストンとを備え、同クラッチピストンの軸方向両面に制御油圧室とキャンセラ室とが形成された油圧クラッチのクラッチ構造において、前記回転軸に、回転駆動力を受けて同回転軸を回転駆動するプライマリ従動ギアが支持され、前記油圧クラッチは、前記プライマリ従動ギアを同回転軸方向に挟んで前記回転軸上に設けられた第１クラッチと第２クラッチとからなり、前記第１クラッチと前記第２クラッチは、それぞれ、前記回転軸に回転方向と軸方向を拘束されて嵌装されたクラッチハブに、クラッチアウタが一体化された構造を有し、前記第１クラッチおよび前記第２クラッチの前記クラッチアウタは、それぞれ軸方向の端板部を有し、両端板部は、前記プライマリ従動ギアに対向するように配置され、前記第１クラッチと前記第２クラッチのそれぞれにおいて、前記クラッチピストンは、前記クラッチハブとクラッチアウタの間を軸方向に摺動可能とされ、前記キャンセラ室は、前記クラッチピストンと、前記クラッチハブ、クラッチアウタ間に設けられた壁部材との間に形成され、前記第１クラッチと前記第２クラッチのそれぞれにおいて、前記クラッチハブは、前記回転軸と互いのスプライン歯を係合させて嵌装されるとともに、前記クラッチハブには、前記回転軸または前記クラッチハブの前記スプライン歯の少なくとも一方の一部を切欠いて、前記キャンセラ室の内外を連通する排出油路が設けられたことを特徴とするクラッチ構造である。
【０００８】
請求項４の発明は、請求項１、請求項２または請求項３記載のクラッチ構造において、前記排出油路は、前記回転軸または前記クラッチハブの円周方向において、間隔を空けて複数形成されたことを特徴とする。
【０００９】
請求項５の発明は、請求項１に記載のクラッチ構造において、前記排出油路の一部は、前記壁部材と前記クラッチハブとの間に形成されたことを特徴とする。
【００１０】
請求項６の発明は、請求項３記載のクラッチ構造において、前記排出油路は、前記クラッチハブにおいて、前記キャンセラ室にオイルを供給する供給油路を介して前記キャンセラ室に連通されたことを特徴とする。
【００１１】
請求項７の発明は、クランクケースに回転自在に支承される回転軸と、回転軸に同軸芯に配設され、軸方向移動に応じてクラッチオフ状態とクラッチオン状態とを切替えるクラッチピストンとを備え、同クラッチピストンの軸方向両面に制御油圧室とキャンセラ室とが形成された油圧クラッチのクラッチ構造において、前記回転軸に、回転駆動力を受けて同回転軸を回転駆動するプライマリ従動ギアが支持され、前記油圧クラッチは、前記プライマリ従動ギアを同回転軸方向に挟んで前記回転軸上に設けられた第１クラッチと第２クラッチとからなり、前記第１クラッチと前記第２クラッチは、それぞれ、前記回転軸に回転方向と軸方向を拘束されて嵌装されたクラッチハブに、クラッチアウタが一体化された構造を有し、前記第１クラッチおよび前記第２クラッチの前記クラッチアウタは、それぞれ軸方向の端板部を有し、両端板部は、前記プライマリ従動ギアに対向するように配置され、前記第１クラッチと前記第２クラッチのそれぞれにおいて、前記クラッチピストンは、前記クラッチハブとクラッチアウタの間を軸方向に摺動可能とされ、前記キャンセラ室は、前記クラッチピストンと、前記クラッチハブ、クラッチアウタ間に設けられた壁部材との間に形成され、前記キャンセラ室には、同キャンセラ室への供給油路とは別に、前記キャンセラ室の内外を連通する排出油路が設けられ、同排出油路は、前記キャンセラ室の外側にある潤滑油室に接続されることを特徴とするクラッチ構造である。
【発明の効果】
【００１３】
請求項１の発明のクラッチ構造によれば、キャンセラ室からの排出オイルが、クラッチハブに設けられた排出油路から排出されるので、キャンセラ室の壁部材に開口部を設けて排出する場合と比べて、より内径側からオイルを排出でき、キャンセラ室外側とクラッチディスクの間に形成される潤滑油室にオイルが溜まることを抑制でき、また、溜まったオイルにより、キャンセラ室からのオイルの排出性が悪化することが抑制されて安定し、クラッチピストンの作動応答性の悪化が防止され、クラッチ断接が迅速になされる。
【００１４】
請求項２の発明のクラッチ構造によれば、キャンセラ室からの排出オイルが、回転軸またはクラッチハブのスプライン歯を切欠いた排出油路から排出されるので、キャンセラ室の壁部材に開口部を設けて排出する場合と比べて、より内径側からオイルを排出でき、キャンセラ室外側とクラッチディスクの間に形成される潤滑油室にオイルが溜まることを抑制でき、また、溜まったオイルにより、キャンセラ室からのオイルの排出性が悪化することが抑制され、クラッチピストンの作動応答性の悪化が防止され、クラッチ断接が迅速になされる。
また、排出油路に一部を供給油路と兼用とした構造に比べて、供給されるオイルが排出されるオイルに合流することがないので、よりスムーズにオイルの排出がなされ、クラッチ断接が迅速に行える。
【００１５】
請求項３の発明のクラッチ構造によれば、キャンセラ室からの排出オイルが、回転軸またはクラッチハブのスプライン歯を切欠いた排出油路から排出されるので、キャンセラ室の壁部材に開口部を設けて排出する場合と比べて、より内径側からオイルを排出でき、キャンセラ室外側とクラッチディスクの間に形成される潤滑油室にオイルが溜まることを抑制でき、また、溜まったオイルにより、キャンセラ室からのオイルの排出性が悪化することが抑制され、クラッチピストンの作動応答性の悪化が防止されて安定し、クラッチ断接が迅速になされる。
【００１６】
請求項４の発明のクラッチ構造によれば、クラッチハブ等クラッチ部材の剛性を確保しながら、排出油路を一箇所だけ設ける場合に比べて、オイルの排出性を向上させることができるため、クラッチ断接が迅速になされる。
【００１７】
請求項５の発明によれば、排出油路のために別部材を設けることなく、壁部材を利用して排出油路が形成されるので、部品点数を増やすことなく、請求項１の効果を奏することができる。
【００１８】
請求項６の発明のクラッチ構造によれば、キャンセラ室への供給油路と、排出油路とを別に設ける場合に比べて、製造工数が削減される。
【００１９】
請求項７の発明のクラッチ構造によれば、キャンセラ室からの排出オイルが、クラッチハブに設けられた排出油路から排出されるので、キャンセラ室の壁部材に開口部を設けて排出する場合と比べて、より内径側からオイルを排出でき、キャンセラ室外側とクラッチディスクの間に形成される潤滑油室にオイルが溜まることを抑制でき、また、溜まったオイルにより、キャンセラ室からのオイルの排出性が悪化することが抑制されて安定し、クラッチピストンの作動応答性の悪化が防止され、クラッチ断接が迅速になされる
そして、キャンセラ室への供給油路とは別に、キャンセラ室の内外を連通する排出油路が設けられ、同排出油路は、キャンセラ室の外側にある潤滑油室に接続されることで、キャンセラ室から潤滑油室に排出されたオイルを潤滑に用いることができる。
【図面の簡単な説明】
【００２１】
【図１】本発明の実施形態に係るクラッチ構造を備えた内燃機関を搭載した自動二輪車の右側面概要図である。
【図２】本発明の実施形態に係るクラッチ構造を備えた内燃機関の右側面概要図である。
【図３】図２中、III−III矢視による、本発明の実施形態１のクラッチ構造を備えた内燃機関のクラッチおよび変速機周辺の断面展開図である。
【図４】図３中、クラッチ部分の拡大断面図であり、実施形態１のクラッチ構造の説明図である。
【図５】図４と同様部分の拡大断面図であり、本発明の実施形態２のクラッチ構造の説明図である。
【図６】図４と同様部分の拡大断面図であり、本発明の実施形態３のクラッチ構造の説明図である。
【発明を実施するための形態】
【００２２】
以下、本発明に係る実施形態１のクラッチ構造について図１ないし図４に基づいて説明する。
図１は、本実施形態に係るクラッチ構造を備えた内燃機関を搭載した自動二輪車１の右側面図である。
なお、本明細書の説明および特許請求の範囲における前後左右上下等の向きは、本実施形態に係る内燃機関を、車両、特に自動二輪車等の小型車両に搭載した状態での車両の向きに従うものとする。図中、矢印ＦＲは車両前方を、ＬＨは車両左方を、ＲＨは車両右方を、ＵＰは車両上方を、それぞれ示す。
【００２３】
図１に示されるように、自動二輪車１の車体フレーム２は、ヘッドパイプ３と、ヘッドパイプ３から斜め後方に延出するメインフレーム４と、メインフレーム４の後端から下方に延出するセンターフレーム５と、ヘッドパイプ３から下方に延びるダウンフレーム６と、センターフレーム５の上部から後方に延出するシートステー７と、センターフレーム５の後部とシートステー７の後部に掛け渡されたミッドフレーム８を備えている。
【００２４】
前輪９を支持するフロントフォーク10が、ヘッドパイプ３で操向可能に支持され、フロントフォーク10の上部にはステアリングハンドル11が連結されている。
また、後輪12を支持するリヤフォーク13が、センターフレーム５のピボットボルト14を介して上下揺動可能に支持されている。
【００２５】
内燃機関30は２気筒４ストロークサイクル内燃機関であり、メインフレーム４、センターフレーム５及びダウンフレーム６に支持されている。内燃機関30の出力軸の回転動力は、後輪駆動用チェーン15を介して後輪12に伝達される。
左右のメインフレーム４間には燃料タンク16が搭載され、燃料タンク16の後方の左右のシートステー７上には運転者Ｐと同乗者が前後に着座できるタンデム型シート17が取付けられている。
【００２６】
また、車体右側面で、センターフレーム５の下部でミッドフレーム８との連結部にステップホルダ20が設けられており、同ステップホルダ20にフットステップ21が突設されている。
車体左側面にも左右対称位置にフットステップ21が設けられている。
【００２７】
図２に示されるように、内燃機関30はクランク軸31を車体幅方向である左右方向に指向させて横置きに車体フレーム２に搭載され、クランク軸31は上下割りの上クランクケース32Ａと下クランクケース32Ｂに軸受を介して挟まれ、回転自在に軸支される。
上クランクケース32Ａから前方斜め上向きにシリンダブロック33、シリンダヘッド34、シリンダヘッドカバー35が順次重ねられて前傾して突設されている。
下クランクケース32Ｂの下側はオイルパン36で塞がれる。
上クランクケース32Ａと下クランクケース32Ｂとからなるクランクケース32には、変速機40が一体的に組み込まれている。
【００２８】
図３は、変速機40の、図２中III−III矢視による断面展開図である。変速機40は、メイン軸41と、カウンタ軸42と、プライマリ従動ギア43と、一対の第１クラッチ44Ａと第２クラッチ44Ｂとからなるツインクラッチ（本発明の「油圧クラッチ」）44を備えている。シフトドラム、シフトフォークからなるチェンジ機構は、図示省略してある。
【００２９】
メイン軸41は、上クランクケース32Ａに、クランク軸31の後方で若干斜め上位置において、クランク軸31と平行に回転自在に架設されている（図２参照）。
メイン軸41の左端はボールベアリング45を介してクランクケース32に、中央部はボールベアリング46を介してクランクケース32に、それぞれ回転可能に支持されている。
メイン軸41の右端は、ボールベアリング47を介して右クランクケースカバー37に回転可能に支持されている。
【００３０】
メイン軸41の後方斜め下位置に、内燃機関30の出力軸となるカウンタ軸42が、上クランクケース32Ａと下クランクケース32Ｂに挟まれメイン軸41と平行に回転自在に軸支される（図２参照）。
カウンタ軸42の左端はボールベアリング48を介してクランクケース32に、右端はニードルベアリング49を介してクランクケース32に、それぞれ回転可能に支持されている。
【００３１】
メイン軸41は長いメイン軸内軸41Ａと、メイン軸外軸41Ｂと、クラッチ部外軸（本発明の「回転軸」）41Ｃとからなっている。
メイン軸外軸41Ｂは、メイン軸内軸41Ａの一部をニードルベアリング50、50を介して相対回転可能に覆っている。
メイン軸外軸41Ｂの左端は、Ｃ形止め輪51によって左方移動が規制されている。
メイン軸外軸41Ｂの右端は、クラッチ部外軸41Ｃに環状スペーサ52を介して当接し、右方移動が規制されている。メイン軸41にはＭ1〜Ｍ6の６個の歯車が設けてあり、カウンタ軸42には前記歯車Ｍ1〜Ｍ6に対応して、これらと常時噛み合うＣ1〜Ｃ6の６個の歯車が設けてある。
【００３２】
Ｍはメイン軸付属歯車、Ｃはカウンタ軸付属歯車、添数字1〜6は１速〜６速の変速比を決める歯車であることを示している。
奇数変速段の歯車Ｍ1、Ｍ5、Ｍ3はメイン軸内軸９Ａに、偶数変速段の歯車Ｍ4、Ｍ6、Ｍ2はメイン軸外軸９Ｂに設けてある。
【００３３】
図３において、上記歯車符号に付した添字ｘは、軸と一体形成された固定歯車、添字ｗは、軸に保持され、軸上の所定の位置で軸に対して相対回転可能の空転歯車、添字ｓは軸方向摺動可能の摺動歯車を表す。摺動歯車は、スプライン53によって軸に保持され軸に対して周方向に相対回転しないが軸方向には摺動が可能な歯車である。固定歯車（添字ｘ）及び摺動歯車（添字ｓ）が噛み合う相手側の歯車は、必ず空転歯車（添字ｗ）である。空転歯車（添字ｗ）は単独では歯車としての機能を果たせず、歯車としての機能を果たすには、隣に設けられている摺動歯車（添字ｓ）によって軸に固定されることが必要である。摺動歯車には、図示しないチェンジ機構のシフトフォークが係合する係合溝Ｇが設けてあり、これに係合するシフトフォークによって、摺動歯車（添字ｓ）は必要に応じて軸方向に移動し、隣り合う空転歯車（添字ｗ）と断接する。
【００３４】
右クランクケースカバー37は、上クランクケース32Ａと下クランクケース32Ｂが合体した右側面に被せられる。
上下クランクケース32Ａ，32Ｂの右側壁より右方に設けられる第１クラッチ44Ａ、第２クラッチ44Ｂ、プライマリ従動ギア43、およびクランク軸31に嵌着されプライマリ従動ギア43と噛合するプライマリ駆動ギア38等が、右クランクケースカバー37により覆われる。
また、下クランクケース32Ｂの右側壁の前部に設けられる制御用オイルポンプ60も右ケースカバー37により覆われる（図２参照）。なお、潤滑用オイルポンプ61は、制御用オイルポンプ60の左側（図２上、奥側）に同軸に設けられている。
【００３５】
制御用オイルポンプ60が駆動すると、オイルパン36に溜まったオイルは図示しないオイルストレーナを介して吸入され、吐出されたオイルは右クランクケースカバー37に設けられたオイルフィルタ62に導入される。
【００３６】
オイルフィルタ62から第１、第２クラッチアクチュエータ63Ａ、63Ｂに送られ、制御された各作動油は、一対の油圧クラッチからなるツインクラッチ44の、各油圧クラッチである第１、第２クラッチ44Ａ，44Ｂの駆動制御に供される。
そのため、右クランクケースカバー37には、クラッチアクチュエータ収容部37ａとツインクラッチ44を収容するクラッチ収容部37ｂの中央部との間を、直線的に連絡する互いに平行な１対の第１、第２制御用油路64Ａ、64Ｂが表面に管状に膨出して形成されている。
【００３７】
したがって、第１クラッチアクチュエータ63Ａの駆動により制御された作動油が第１制御用油路64Ａを通って第１クラッチ44Ａに供給されて第１クラッチ44Ａの断続がなされ、第２クラッチアクチュエータ63Ｂの駆動により制御された作動油が第２制御用油路64Ｂを通って第２クラッチ44Ｂの断続がなされる。
第１、第２クラッチアクチュエータ63Ａ、63Ｂが統一的に制御されることで、第１、第２クラッチ44Ａ、44Ｂの駆動が相互にタイミング制御されて変速機40の変速が円滑に行われる。
【００３８】
プライマリ従動ギア43は、クランク軸31に嵌合されたプライマリ駆動ギア38と噛み合って、内燃機関40の回転動力が伝達される。
本実施形態において、プライマリ駆動ギア38は、図３に示されるように、セラシ機構を備えている。
【００３９】
すなわち、プライマリ駆動ギア38は互いに軸方向に重ね合わされるメインギア38Ａと幅の狭いサブギア38Ｂとからなり、メインギア38Ａは、クランク軸31に固定支持され、一方、サブギア38Ｂは、メインギア38Ａのボス部38Ａａ上へ遊転可能に嵌装されている。
メインギア38Ａとサブギア38Ｂは、同径、同ピッチのギアであり、共にプライマリ従動ギア43の同じ歯間に噛み合うが、両ギアの間にはコイルばね38ａが介装され、両ギアは互いに逆向き方向に回動付勢される。
【００４０】
プライマリ駆動ギア38がプライマリ従動ギア43を回転駆動する時、プライマリ従動ギア43の歯面を押接するプライマリ駆動ギア38のメインギア38Ａの歯の裏面にはバックラッシュが発生する恐れがあるが、サブギア38Ｂはメインギア38Ａの回転駆動方向と逆方向に回動付勢されているので、裏面側の、プライマリ従動ギア43の次位の歯の正面側を押接し、バックラッシュを解消している。
従って、プライマリ駆動ギア38は、プライマリ従動ギア43との噛み合い部において、ガタ無しに噛み合うことができるので、起動、停止、トルク変動等において、衝撃音等のギア鳴りが発生することが防止されている。
【００４１】
図４は、図３のツインクラッチ44周辺の拡大断面図である。
メイン軸内軸41Ａの右半部には、クラッチ部外軸（本発明の「回転軸」）41Ｃが設けてあり、クラッチ部外軸41Ｃは、ニードルベアリング55Ａ、55Ｂを介して、メイン軸内軸41Ａの軸端部の回りを回転可能に覆っている。メイン軸内軸41は、クランクケース32に回転自在に支承されている。
【００４２】
クラッチ部外軸41Ｃの右端は、他の部材（後述の第１クラッチ44Ａのクラッチインナ70Ａ）に環状スペーサ54を介して当接し、この部材と共にメイン軸内軸41Ａの軸端の係止部材56によって軸方向が移動規制されている。
クラッチ部外軸41Ｃの左端は、メイン軸外軸41Ｂの右端に環状スペーサ52を介して当接し、メイン軸外軸41Ｂの左端はＣ形止め輪51によって移動規制されている（図３参照）。
【００４３】
クラッチ部外軸41Ｃに、プライマリ従動ギア43を左右から挟んで、第１クラッチ44Ａと第２クラッチ44Ｂのクラッチアウタ71Ａ、71Ｂそれぞれの内周側に溶接で一体化されたクラッチハブ72Ａ、72Ｂが、その軸方向端部側の内周面のスプライン歯72ａと、クラッチ部外軸41Ｃの外周面のスプライン歯41Ｃａとを係合させた係合部73で回転方向を互いに拘束され、また、係止部材74を介して軸方向を拘束されて嵌装されている。
プライマリ従動ギア43は、結合円板75を介してクラッチ部外軸41Ｃに回転不能に嵌装されている。
プライマリ従動ギア43の左右方向移動は、クラッチ部外軸41Ｃを介して規制されている。
【００４４】
プライマリ従動ギア43は、クランク軸31に設けられたプライマリ駆動ギア38（図３参照）に常時噛合う歯車であり、クランク軸31からの回転駆動力を受けてクラッチ部外軸41Ｃを回転駆動する。
これに応じて、クラッチ部外軸41Ｃとスプラインによる係合部73で回cc転を共にするツインクラッチ44のクラッチハブ72Ａ、72Ｂが回転駆動され、クラッチアウタ71Ａ、71Ｂが共に回転する。ツインクラッチ44のクラッチインナ70Ａ、70Ｂはそれぞれ別の部材、すなわちメイン軸内軸41Ａ、メイン軸外軸41Ｂに接続されている（図３参照）。
【００４５】
第１クラッチ44Ａのクラッチインナ70Ａは、メイン軸内軸41Ａの右端においてスプライン75に嵌合し、係止部材56によってメイン軸内軸41Ａに固定されている。
第２クラッチ44Ｂのクラッチインナ70Ｂは、メイン軸外軸41Ｂの右端においてスプライン76に嵌合して固定されている（図３参照）。
【００４６】
ツインクラッチ44を構成する一対のクラッチ44Ａ、44Ｂは共に油圧式多板クラッチである。
一対のクラッチ44Ａ、44Ｂの各クラッチアウタ71Ａ、71Ｂの外周部71ｂの内側には、クラッチアウタ71Ａ、71Ｂに対して相対回転不能且つ軸方向移動可能に係合された複数の駆動摩擦板77が設けてある。
一対のクラッチ44Ａ、44Ｂの各クラッチインナ70Ａ、70Ｂの外側には、クラッチインナ70Ａ、70Ｂに対して相対回転不能且つ軸方向移動可能に係合された複数の被動摩擦板78が設けてある。
駆動摩擦板77と被動摩擦板78は交互に配置されて摩擦板群79を構成している。
【００４７】
各クラッチ44Ａ、44Ｂのクラッチアウタ71Ａ、71Ｂの端板部71ａと摩擦板群79との間にはそれぞれ、クラッチハブ72Ａ、72Ｂとクラッチアウタ71Ａ、71Ｂの外周部71ｂとの間を軸方向に摺動するクラッチピストン80が設けてあり、クラッチピストン80の外周部の端部は、摩擦板群79の一端の駆動摩擦板77に当接している。
摩擦板群79の他端の駆動摩擦板77はＣ形止め輪81を介して移動規制されている。
【００４８】
クラッチピストン80とクラッチインナ70Ａ、70Ｂとの間にはそれぞれ、スプリングリテーナ（本発明の「壁部材」）82が設けてある。
スプリングリテーナ82の内周端は、クラッチハブ72Ａ、72Ｂに設けられたＣ形止め輪83よって移動規制されている。
スプリングリテーナ82の外周端は、シール部材84を介してクラッチピストン80の外周部の内側に摺動可能に接している。
スプリングリテーナ82に一端を接するコイルばね85を介して、クラッチピストン80はそれぞれクラッチアウタ71Ａ、71Ｂの端板部71ａの方へ付勢されている。
【００４９】
各クラッチピストン80の軸方向両面には、制御油圧室86Ａ、86Ｂとキャンセラ室87Ａ、87Ｂとが形成されている。
制御油圧室86Ａ、86Ｂはそれぞれ、クラッチアウタ71Ａ、71Ｂの外周部71ｂとクラッチハブ72Ａ、72Ｂとの間において、クラッチアウタ71Ａ、71Ｂの端板部71ａとクラッチピストン80との間に形成される。
キャンセラ室87Ａ、87Ｂはそれぞれ、クラッチピストン80の外周部とクラッチハブ72Ａ、72Ｂとの間において、スプリングリテーナ82とクラッチピストン80との間に形成される。
【００５０】
キャンセラ室87Ａ、87Ｂは遠心力圧力補償室とも言うことができ、遠心力による制御油圧室86Ａ、86Ｂの圧力増加を、キャンセラ室87Ａ、87Ｂのオイルにかかる遠心力による圧力増加によって相殺し、クラッチＯＦＦを確実にするためのものである。
【００５１】
メイン軸内軸41Ａ内には、左側から延設されたメイン軸左側中心孔65と、右側から延設された第１制御油孔66Ａと第２制御油孔66Ｂが設けてある。
メイン軸左側中心孔65は、潤滑用オイルポンプ61に連通し、潤滑用オイルが供給されている。
第１制御油孔66Ａと第２制御油孔66Ｂは、それぞれ、第１制御用油路64Ａ、第２制御用油路64Ｂを介して、第１クラッチアクチュエータ63Ａ、第２クラッチアクチュエータ63Ｂに連通し、制御用オイルポンプ60から制御された制御用オイルが供給される（図２参照）。
【００５２】
第１制御油孔66Ａは、メイン軸内軸41Ａとクラッチ部外軸41Ｃと、クラッチハブ72Ａを径方向に貫通して連通する油路90を介して、第１クラッチ44Ａの制御油圧室86Ａに連通している。
第２制御油孔66Ｂは、メイン軸内軸41Ａとクラッチ部外軸41Ｃと、クラッチハブ72Ｂを径方向に貫通して連通する油路91を介して、第２クラッチ44Ｂの制御油圧室86Ｂに連通している。
【００５３】
第１クラッチ44Ａのキャンセラ室87Ａは、制御用オイルポンプ60からの高圧油路に図示しない降圧油路を介して連通するメイン軸潤滑油孔67に、ニードルベアリング55Ａ、メイン軸内軸外周隙間油路92、及びクラッチ部外軸９Ｃとクラッチハブ72Ａを径方向に貫通する油路93を介して、連通している。
従って、キャンセラ室87Ａには、常に供給油路となる油路（本発明の「供給油路」）93から降圧された潤滑用のオイルが供給される。
【００５４】
第２クラッチ44Ｂのキャンセラ室87Ｂは、メイン軸左側中心孔65に、メイン軸内軸41Ａを径方向に貫通する油路94、ニードルベアリング55Ｂ、メイン軸内軸外周隙間油路95、及びクラッチ部外軸41Ｃとクラッチハブ72Ｂを径方向に貫通する油路96を介して、連通している。メイン軸左側中心孔65には、常に潤滑用オイルポンプ61から潤滑用のオイルが供給されている。
従って、キャンセラ室87Ｂには、常に供給油路となる油路（本発明の「供給油路」）96から潤滑用のオイルが供給される。
【００５５】
一方、クラッチハブ72Ａ、72Ｂの外周面にはそれぞれ、クラッチインナ70Ａ、70Ｂ側を向いた端面に至る軸方向の切欠き101が複数設けられており、スプリングリテーナ82の内周面との間に、キャンセラ室87Ａ、87Ｂの内外を連通する排出油路100が、クラッチハブ72Ａ、72Ｂの円周方向において、間隔を空けて複数形成されている。
【００５６】
したがって、各キャンセラ室87Ａ、87Ｂに供給されて充満した潤滑用のオイルは、排出油路100から排出され、キャンセラ室87Ａ、87Ｂの外側とクラッチインナ70Ａ、70Ｂの間に形成される潤滑油室88Ａ、88Ｂに流入し、クラッチの回転により外周方向へ移動して、駆動摩擦板77と被動摩擦板78からなる摩擦板群79の潤滑に供される。
【００５７】
上記のような、本実施形態のクラッチ構造において、第１クラッチアクチュエータ63Ａの作動により、第１クラッチ44Ａの制御油圧室86Ａに制御用のオイルが送られると、クラッチピストン80が右方に移動し、摩擦板群79を圧接することで、第１クラッチが断（ＯＦＦ）状態から、接（ＯＮ）状態となる。
【００５８】
そのとき、キャンセラ室87Ａ内に充満していた潤滑用のオイルは、クラッチピストン80の移動に伴うキャンセラ室87Ａの縮小により、排出油路100から潤滑油室88Ａへ排出される。
【００５９】
潤滑油室88Ａには、クラッチの回転による遠心力のため、外周側からオイルが溜まっていくので、排出油路100が仮に外周側に寄って設けられていれば、排出油路100が溜まったオイルに塞がれて、キャンセラ室87Ａからのオイルの排出が迅速に行われず、クラッチピストンの作動応答性が悪化する恐れがあるが、本実施形態における排出油路100は内径側のクラッチハブ72Ａに設けられているので、そのような恐れが少ない。
【００６０】
また、第１クラッチを断（ＯＮ）状態から、接（ＯＦＦ）状態とする場合は、排出油路100が潤滑油室88Ａに溜まったオイルで塞がれていないので、クラッチピストン80がコイルばね85によって、クラッチアウタ71Ａの端板部71ａ側に復帰することが妨げられない。
従って、クラッチピストン80の作動応答性の悪化が防止され、クラッチ断接が迅速になされる。
以上のことは、第２クラッチ44Ｂにおいても同様である。
【００６１】
すなわち、本実施形態のクラッチ構造の特徴を述べれば下記の通りである。
メイン軸41のクラッチ部外軸41Ｃがクランクケース32に回転自在に支承され、クラッチピストン80がクラッチ部外軸41Ｃに同軸芯に配設され、その軸方向移動に応じてクラッチオフ状態とクラッチオン状態とが切替えられ、各クラッチピストン80の軸方向両面に制御油圧室86Ａ、86Ｂとキャンセラ室87Ａ、87Ｂとが形成された油圧クラッチ44において、クラッチ部外軸41Ｃに回転方向と軸方向を拘束されて嵌装されたクラッチハブ72Ａ、72Ｂに、クラッチアウタ71Ａ、71Ｂが一体化されている。
各クラッチピストン80は、クラッチハブ72Ａ、72Ｂとクラッチアウタ71Ａ、71Ｂの間を軸方向に摺動し、キャンセラ室87Ａ、87Ｂは、クラッチピストン80と、クラッチハブ72Ａ、72Ｂ、クラッチアウタ71Ａ、71Ｂ間に設けられたスプリングリテーナ82との間に形成さている。
クラッチハブ72Ａ、72Ｂには、キャンセラ室87Ａ、87Ｂへの供給油路93、96等とは別に、キャンセラ室87Ａ、87Ｂの内外を連通する排出油路100が設けられている。
【００６２】
そのため、キャンセラ室87Ａ、87Ｂからの排出オイルが、クラッチハブ72Ａ、72Ｂに設けられた排出油路100から排出されるので、キャンセラ室87Ａ、87Ｂの壁部材としてのスプリングリテーナ82に開口部を設けて排出する場合と比べて、より内径側からオイルを排出でき、キャンセラ室87Ａ、87Ｂの外側とクラッチインナ70Ａ、70Ｂの間に形成される潤滑油室88Ａ、88Ｂにオイルが溜まることを抑制できる。また、溜まったオイルにより、キャンセラ室87Ａ、87Ｂからのオイルの排出性が悪化することが抑制され、クラッチピストン80の作動応答性の悪化が防止され、クラッチ断接が迅速になされる。
【００６３】
また、排出油路100は、クラッチハブ72Ａ、72Ｂの円周方向において、間隔を空けて複数形成されたので、クラッチハブ72Ａ、72Ｂ等クラッチ部材の剛性を確保しながら、排出油路100を一箇所だけ設ける場合に比べて、オイルの排出性を向上させることができるため、クラッチ断接が迅速になされる。
【００６４】
油圧クラッチは、複数個の油圧クラッチを備えたツインクラッチ44であり、ツインクラッチ44の各クラッチハブ72Ａ、72Ｂにそれぞれ排出油路100が設けられたので、ツインクラッチ44を備えるクラッチ構造であっても、各キャンセラ室87Ａ、87Ｂからのオイル排出性を良好にし、クラッチ断接が迅速に行える。
なお、本実施形態は、ツインクラッチ44の場合を示して説明したが、単一の油圧クラッチ（例えば、第１クラッチ44Ａ、または第１クラッチ44Ｂ）で構成されるクラッチ構造においても、本発明の要旨が適用されることは勿論である。
【００６５】
また排出油路100の一部は、壁部材としてのスプリングリテーナ82とクラッチハブ72Ａ、72Ｂとの間に形成されたので、排出油路100のために別部材を設けることなく、スプリングリテーナ82を利用して排出油路100が形成されるため、部品点数を増やすことなく、オイルの排出性の向上、クラッチ断接の迅速化がなされる。
【００６６】
次に、本発明に係る実施形態２のクラッチ構造について図５に基づいて説明する。
なお、本実施形態は、上述の実施形態１に対して、排出油路200の設け方が異なる以外は、実施形態１と同じであり、図１、図２は本実施形態も同じであり、図３においても、図示される排出油路100が実施形態１のものであること以外は同じである。また、図４に示されるツインクラッチ44の構造は、排出油路100以外は、本実施形態２と同様であるので、図１〜図４も本実施の形態の説明において参照するものとする。
よって、本実施形態２に関しては、図５において、実施形態１と異なる箇所を主に説明し、他の箇所は同じ符号を付して説明を省略する。
【００６７】
実施形態１と同様に、第１クラッチ44Ａのキャンセラ室87Ａには、常に供給油路となる油路93から潤滑用のオイルが供給される。
第２クラッチ44Ｂのキャンセラ室87Ｂには、常に供給油路となる油路96から潤滑用のオイルが供給される。
【００６８】
一方、クラッチハブ72Ａ、72Ｂにおいては、クラッチハブ72Ａ、72Ｂの軸方向端部側の内周面のスプライン歯72ａと、クラッチ部外軸41Ｃの外周面のスプライン歯41Ｃａとの係合部73において、クラッチ部外軸41Ｃの外周面のスプライン歯41Ｃａの一部が切欠かれて、キャンセラ室87Ａ、87Ｂの内外を連通する排出油路200が設けられている。
スプライン歯41Ｃａの切欠き201はそれぞれ、一端側が供給油路となる油路93、96に連通し、他端側がクラッチハブ72Ａ、72Ｂのクラッチインナ70Ａ、70Ｂ側に向いた端面に設けられた径方向切欠き202に連通し、各キャンセラ室87Ａ、87Ｂの排出油路200を形成している。
排出油路200は、クラッチ部外軸41Ｃまたはクラッチハブ72Ａ、72Ｂの円周方向において、間隔を空けて複数形成されている。
【００６９】
したがって、各キャンセラ室87Ａ、87Ｂに供給されて充満した潤滑用のオイルは、排出油路200から排出され、キャンセラ室87Ａ、87Ｂの外側とクラッチインナ70Ａ、70Ｂの間に形成される潤滑油室88Ａ、88Ｂに流入し、クラッチの回転により外周方向へ移動して、駆動摩擦板77と被動摩擦板78からなる摩擦板群79の潤滑が行われる。
【００７０】
上記のような、本実施形態２のクラッチ構造において、第１クラッチアクチュエータ63Ａ（図２参照）の作動により、第１クラッチ44Ａの制御油圧室86Ａに制御用のオイルが送られると、クラッチピストン80が右方に移動し、摩擦板群79を圧接することで、第１クラッチが断（ＯＦＦ）状態から、接（ＯＮ）状態となる。
【００７１】
そのとき、キャンセラ室87Ａ内に充満していた潤滑用のオイルは、クラッチピストン80の移動に伴うキャンセラ室87Ａの縮小により、排出油路200から潤滑油室88Ａへ排出され、摩擦板群79の潤滑に供される。
【００７２】
潤滑油室88Ａには、クラッチの回転による遠心力のため、外周側からオイルが溜まっていくので、排出油路200が仮に外周側に寄って設けられていれば、排出油路200が溜まったオイルに塞がれて、キャンセラ室87Ａからのオイルの排出が迅速に行われず、クラッチピストンの作動応答性が悪化する恐れがあるが、本実施形態２における排出油路200は内径側のクラッチハブ72Ａに設けられているので、そのような恐れが少ない。
【００７３】
また、第１クラッチを断（ＯＦＦ）状態から、接（ＯＮ）状態とする場合は、排出油路200が潤滑油室88Ａに溜まったオイルで塞がれていないので、クラッチピストン80が、コイルばね85によってクラッチアウタ71Ａの端板部71ａ側に復帰することが妨げられない。
従って、クラッチピストン80の作動応答性の悪化が防止され、クラッチ断接が迅速になされる。
以上のことは、第２クラッチ44Ｂにおいても同様である。
【００７４】
すなわち、本実施形態２のクラッチ構造の特徴を述べれば下記の通りである。
メイン軸41のクラッチ部外軸41Ｃがクランクケース32に回転自在に支承され、クラッチピストン80がクラッチ部外軸41Ｃに同軸芯に配設され、その軸方向移動に応じてクラッチオフ状態とクラッチオン状態とが切替えられ、各クラッチピストン80の軸方向両面に制御油圧室86Ａ、86Ｂとキャンセラ室87Ａ、87Ｂとが形成された油圧クラッチ44において、クラッチ部外軸41Ｃに回転方向と軸方向を拘束されて嵌装されたクラッチハブ72Ａ、72Ｂに、クラッチアウタ71Ａ、71Ｂが一体化されている。
各クラッチピストン80は、クラッチハブ72Ａ、72Ｂとクラッチアウタ71Ａ、71Ｂの間を軸方向に摺動し、キャンセラ室87Ａ、87Ｂは、クラッチピストン80と、クラッチハブ72Ａ、72Ｂ、クラッチアウタ71Ａ、71Ｂ間に設けられたスプリングリテーナ82との間に形成されている。
クラッチハブ72Ａ、72Ｂは、クラッチ部外軸41Ｃと互いのスプライン歯41Ｃａ、72ａを係合させて嵌装されるとともに、クラッチハブ72Ａ、72Ｂには、クラッチ部外軸41Ｃのスプライン歯41Ｃａを一部切欠いて、キャンセラ室87Ａ、87Ｂの内外を連通する排出油路200が設けられている。
【００７５】
そのため、キャンセラ室87Ａ、87Ｂからの排出オイルが、クラッチ部外軸41Ｃのスプライン歯41Ｃａを切欠いた排出油路200から排出されるので、キャンセラ室87Ａ、87Ｂの壁部材としてのスプリングリテーナ82に開口部を設けて排出する場合と比べて、より内径側からオイルを排出でき、キャンセラ室87Ａ、87Ｂの外側とクラッチインナ70Ａ、70Ｂの間に形成される潤滑油室88Ａ、88Ｂにオイルが溜まることを抑制でき、また、溜まったオイルにより、キャンセラ室87Ａ、87Ｂからのオイルの排出性が悪化することが抑制され、クラッチピストン80の作動応答性の悪化が防止され、クラッチ断接が迅速になされる。
【００７６】
また、排出油路200は、クラッチ部外軸41Ｃの円周方向において、間隔を空けて複数形成されたので、クラッチハブ72Ａ、72Ｂ等クラッチ部材の剛性を確保しながら、排出油路200を一箇所だけ設ける場合に比べて、オイルの排出性を向上させることができ、クラッチ断接が迅速になされる。
【００７７】
油圧クラッチは、複数個の油圧クラッチを備えたツインクラッチ44であり、ツインクラッチ44の各クラッチハブ72Ａ、72Ｂにそれぞれ排出油路200が設けられたので、ツインクラッチ44を備えるクラッチ構造であっても、各キャンセラ室87Ａ、87Ｂからのオイル排出性を良好にし、クラッチ断接が迅速に行える。
なお、本実施形態は、ツインクラッチ44の場合を示して説明したが、単一のクラッチ（例えば、第１クラッチ44Ａ、または第１クラッチ44Ｂ）のみで構成されるクラッチ構造においても、本発明の要旨が適用されることは勿論である。
【００７８】
また、排出油路200は、クラッチ部外軸41Ｃのスプライン歯41Ｃａを切欠いて形成されたため、クラッチ部外軸41Ｃの外面側の加工なので、クラッチハブ72Ａ、72Ｂ内面側のスプライン歯72ａを切欠く場合に比べて、加工性が向上する。
もっとも、クラッチハブ72Ａ、72Ｂ内面側のスプライン歯72ａを一部切欠いて排出油路200を形成しても、本発明として何ら支障はなく、本発明の要旨に含まれることはもちろんである。
【００７９】
また、排出油路200は、クラッチハブ72Ａ、72Ｂにおいて、キャンセラ室87Ａ、87Ｂにオイルを供給する供給油路である油路93、96を介してキャンセラ室87Ａ、87Ｂに連通されたので、キャンセラ室87Ａ、87Ｂへの供給油路93、96と、排出油路200とを別に設ける場合に比べて、製造工数が削減される。
【００８０】
次に、本発明に係る実施形態３のクラッチ構造について図６に基づいて説明する。
なお、本実施形態は、上述の実施形態２に対して、排出油路300の設け方が異なる以外は、実施形態２と同じであり、図１、図２は本実施形態も同じであり、図３においても、排出油路100が実施形態１のものであること以外は同じである。また、図４、図５に示されるツインクラッチ44の構造は、排出油路100、200以外は、本実施形態も同様であるので、図１〜図５も本実施の形態の説明において参照するものとする。
よって、本実施形態３に関しては、図６において、実施形態２と異なる箇所を主に説明し、他の箇所は同じ符号を付して説明を省略する。
【００８１】
実施形態２と同様に、クラッチハブ72Ａ、72Ｂにおいては、クラッチハブ72Ａ、72Ｂの軸方向端部側の内周面のスプライン歯72ａと、クラッチ部外軸41Ｃの外周面のスプライン歯41Ｃａとの係合部73において、クラッチ部外軸41Ｃの外周面のスプライン歯41Ｃａが一部切欠かれて、キャンセラ室87Ａ、87Ｂの外に連通する排出油路300が設けられている。
本実施形態３においては、実施形態２と異なり、スプライン歯41Ｃａの切欠き301がそれぞれ、一端側が供給油路となる油路93、96と連通せず、別個にクラッチハブ72Ａ、72Ｂに設けられ、キャンセラ室87Ａ、87Ｂ内に連通する径方向の上流側排出油路303に接続している。
切欠き301の他端側は、クラッチハブ72Ａ、72Ｂのクラッチインナ70Ａ、70Ｂ側に向いた端面に設けられた径方向切欠き302に連通し、各キャンセラ室87Ａ、87Ｂの排出油路300を形成している。
排出油路300は、クラッチ部外軸41Ｃまたはクラッチハブ72Ａ、72Ｂの円周方向において、間隔を空けて複数形成されている。
【００８２】
上記のほかの特徴は、実施形態２で述べたと同様である。
したがって、実施形態２と同様に、キャンセラ室87Ａ、87Ｂからの排出オイルが、クラッチ部外軸41Ｃのスプライン歯41Ｃａを切欠いた排出油路300から排出されるので、キャンセラ室87Ａ、87Ｂの壁部材としてのスプリングリテーナ82に開口部を設けて排出する場合と比べて、より内径側からオイルを排出でき、キャンセラ室87Ａ、87Ｂの外側とクラッチインナ70Ａ、70Ｂの間に形成される潤滑油室88Ａ、88Ｂにオイルが溜まることを抑制でき、また、溜まったオイルにより、キャンセラ室87Ａ、87Ｂからのオイルの排出性が悪化することが抑制され、クラッチピストン80の作動応答性の悪化が防止され、クラッチ断接が迅速になされる。
【００８３】
そしてさらに、本実施形態３においては排出油路300が、実施形態２と異なり、クラッチハブ72Ａ、72Ｂにおいて、キャンセラ室87Ａ、87Ｂにオイルを供給する供給油路93、96と並列に、軸方向に位置をずらせて別に形成された上流側排出油路303を介してキャンセラ室87Ａ、87Ｂに連通されたので、排出油路200の一部を供給油路93、96と兼用とした実施形態２の構造に比べて、供給されるオイルが排出されるオイルに合流することがないため、よりスムーズにオイルの排出がなされ、クラッチ断接が迅速に行える。
【００８４】
なお、排出油路300は、クラッチ部外軸41Ｃのスプライン歯41Ｃａを切欠いて形成されたため、クラッチ部外軸41Ｃの外面側の加工なので、クラッチハブ72Ａ、72Ｂ内面側のスプライン歯72ａを切欠く場合に比べて、加工性が向上するが、クラッチハブ72Ａ、72Ｂ内面側のスプライン歯72ａを一部切欠いて排出油路300を形成しても、本発明として何ら支障はなく、本発明の要旨に含まれることは実施形態２と同様である。
また、実施形態３で示される本発明が、単一の油圧クラッチで構成されるクラッチ構造にも適用され得ることも同様である。
【００８５】
以上、本発明のクラッチ構造の実施形態につき説明したが、本発明は上記の実施形態に限定されるものではなく、本発明の要旨の範囲で、種々の実施態様が含まれることは勿論である。
例えば、上記実施形態において、内燃機関30は自動二輪車１に搭載されたものを示したが、内燃機関30のタイプ、気筒数、搭載する車両等を限定するものではなく、さらに、同様の油圧クラッチであれば、据え置き型の内燃機関のクラッチにも適用可能なものである。
【符号の説明】
【００８６】
１…自動二輪車、２…車体フレーム、30…内燃機関、31…クランク軸、32…クランクケース、37…右クランクケースカバー、40…変速機、41…メイン軸、41Ａ…メイン軸内軸、41Ｂ…メイン軸外軸、41Ｃ…クラッチ部外軸（回転軸）、41Ｃａ…スプライン歯、42…カウンタ軸、43…プライマリ従動ギア、44…ツインクラッチ（油圧クラッチ）、44Ａ…第１クラッチ、44Ｂ…第２クラッチ、60…制御用オイルポンプ、63Ａ…第１クラッチアクチュエータ、63Ｂ…第２クラッチアクチュエータ、64Ａ…第１制御用油路、64Ｂ…第２制御用油路、65…メイン軸左側中心孔、66Ａ…第１制御油孔、66Ｂ…第２制御油孔、67…メイン軸潤滑油孔、70Ａ、70Ｂ…クラッチインナ、71Ａ、71Ｂ…クラッチアウタ、71ａ…端板部、72Ａ、72Ｂ…クラッチハブ、72ａ…スプライン歯、79…摩擦板群、80…クラッチピストン、82…スプリングリテーナ（壁部材）、85…コイルばね、86Ａ、86Ｂ…制御油圧室、87Ａ、87Ｂ…キャンセラ室、88Ａ、88Ｂ…潤滑油室、93、96…油路（供給油路）、100…排出油路、101…切欠き、200…排出油路、201…切欠き、202…径方向切欠き、300…排出油路、301…切欠き、302…径方向切欠き、303…上流側排出油路
【図１】
0005463253.tif 000002
【図２】
0005463253.tif 000003
【図３】
0005463253.tif 000004
【図４】
0005463253.tif 000005
【図５】
0005463253.tif 000006
【図６】
0005463253.tif 000007